(57)【特許請求の範囲】
【請求項１】
電子部品へ給電がされているときに、当該電子部品に対して所定の動作制御を行う制御部と、
前記電子部品に対する給電が抑制され、前記制御部による前記所定の動作制御が抑制されているときに、当該給電される電流値が所定の電流値を超えたか否かを判断し、前記所定の電流値を超えていると判断したときに前記電子部品への給電経路を遮断する短絡保護回路と、を有し、
基地局からの信号を受信する受信部を有し、
前記短絡保護回路は、前記電子部品に対する給電が抑制され、前記制御部による前記所定の動作制御が抑制されているときに、前記受信部により前記基地局からの信号を受信した場合に、前記電子部品に給電される電流値が所定の電流値を超えているか否かを判断することを特徴とする携帯電子機器。
【請求項２】
前記受信部は、所定の周期で間欠的に基地局からの信号を受信することを特徴とする請求項１記載の携帯電子機器。
【請求項３】
前記短絡保護回路は、前記制御部により前記所定の動作制御が行われるときには、前記電子部品への給電経路の遮断を行わないことを特徴とする請求項１記載の携帯電子機器。
【請求項４】
前記電子部品は、所定の記憶情報が記憶される第１の電子部品と、前記所定の記憶情報が記憶されていない第２の電子部品が含まれ、
前記短絡保護回路は、前記電子部品に対する給電が抑制され、前記制御部による前記所定の動作制御が抑制されているときに、当該給電される電流値が所定の電流値を超えたか否かを判断し、前記所定の電流値を超えていると判断したときに、前記第２の電子部品への給電経路を遮断し、前記第１の電子部品への給電経路を遮断しないことを特徴とする請求項１記載の携帯電子機器。
【請求項５】
電子部品に対する所定の動作制御が抑制されている場合において当該電子部品に給電される電流値が所定の電流値を超えているときに前記電子部品への給電経路を遮断する短絡保護回路と、
基地局からの信号を受信する受信部と、を有し、
前記短絡保護回路は、前記受信部により前記基地局からの信号を受信した場合に、前記電子部品に給電される電流値が所定の電流値を超えているか否かを判断することを特徴とする携帯電子機器。
【請求項６】
電子部品に対する所定の動作制御が抑制されている場合において当該電子部品に給電される電流値が所定の電流値を超えているときに前記電子部品への給電経路を遮断する短絡保護回路と、基地局からの信号を受信する受信部と、を有する携帯電子機器による給電方法であって、
前記受信部により前記基地局からの信号を受信した場合に、前記電子部品に給電される電流値が所定の電流値を超えているか否かを判断することを特徴とする給電方法。
【発明の詳細な説明】
【技術分野】
【０００１】
本発明は、電子部品に対して所定の動作制御を行う携帯電子機器に関する。
【背景技術】
【０００２】
携帯電子機器においては、電子部品に対して供給される電力の制御を行っている。ここで、バッテリに直接的に接続されることにより電力が供給される電子部品や、電流リミッタ等の制限回路を持っていない電子部品を介してバッテリに間接的に接続されることにより電力が供給される電子部品が、何らかの不具合により、短絡状態になる場合がある。この場合、短絡状態になった電子部品は過電流により故障する可能性がある。
【０００３】
不具合のケースとしては、直ぐに短絡状態に至るケースや、電流を流し続けることにより、電源とＧＮＤとの間の抵抗値が徐々に小さくなっていくケースが考えられる。
【０００４】
このような短絡状態になった電子部品の過電流に基づく故障を抑制する技術として、バッテリ内部に備えられている短絡保護回路によって過電流を検出し、過電流を検出した場合に、短絡保護回路によりバッテリ電圧の出力を停止するものが知られている（非特許文献１を参照）。
【０００５】
ここで、バッテリの構成について説明する。バッテリ３００は、図７に示すように、バッテリセル３０１と、短絡保護回路用のスイッチ３０２（例えば、ＦＥＴスイッチ）と、短絡を検出するための短絡保護回路３０３と、携帯電子機器４００の回路基板へ電圧を供給するための正極端子（ＶＢ＋）３０４及び負極端子（ＶＢ−）３０５とにより構成される。
【０００６】
また、携帯電子機器４００内部で短絡が発生した場合には、バッテリ３００は、短絡保護回路３０３により、スイッチ３０２の両端（Ｖｓｗ１とＶｓｗ２）の電圧を読み取り、その電位差Ｖｓｗが、ある閾値Ｖｔ以上である場合に、携帯電子機器４００内部が何らかの理由で、短絡状態になったと想定し、スイッチ３０２を開放する。
【０００７】
ところで、バッテリでは、携帯電子機器４００が動作している最中に誤ってスイッチ３０２を開放してしまわないように、スイッチ３０２を開放する閾値Ｖｔを、携帯電子機器４００に供給される最大電流よりも十分に余裕をもった値に設定している。なお、最大電量よりも充分に余裕を持った値に閾値Ｖｔが設定されているのは、携帯電子機器４００の最大電流は、動作状態に応じて変動し、常に一定の値となることは限らないからである。
【非特許文献１】バッテリの構造、[平成１９年１１月２９日]、インターネット＜ｈｔｔｐ：／／ｗｗｗ．ｂａｙｓｕｎ．ｎｅｔ／ｌｉｔｈｉｕｍｕ／ｌｉｔｈｉｕｍｕ１４．ｈｔｍｌ＞
【発明の開示】
【発明が解決しようとする課題】
【０００８】
しかしながら、このようにスイッチ３０２を開放する閾値Ｖｔを、十分に余裕を持った値に設定した場合、携帯電子機器４００の回路基板に実装されている電子部品の短絡状態が、数Ωの抵抗値を持ったときに、閾値Ｖｔを適切に読み取ることができず、短絡保護回路３０３が動作しない。そのため、電子部品に短絡が生じているにもかかわらず、バッテリ３００は、その電子部品に電流を供給し続けることとなる。例えば、上述のように短絡保護回路３０３が２（Ａ）で動作するように設定されている場合、バッテリ電圧が４（Ｖ）であり、電子部品の短絡状態が２．５（Ω）の場合には、スイッチ３０２が開放されずに、１．６（Ａ）の電流が当該電子部品に供給され続けることになる。そうすると、短絡状態にある電子部品に電流が供給され続けることとなり、その電子部品は、故障する可能性がある。
【０００９】
また、電流を供給し続けることにより、電源とＧＮＤとの間の抵抗値が徐々に小さくなってゆくケースでは、微小な電流変動を感知することが必要になる。このようなケースにおいても、スイッチ３０２を開放する閾値Ｖｔを、十分に余裕をもった値に設定した場合には、短絡保護回路３０３が微小な電流変動を感知できず、電子部品が故障する可能性がある。
【００１０】
本発明は、上述のような課題に鑑みてなされたものであり、その目的の一つは、短絡保護回路が作動する閾値を、十分に余裕を持った値に設定せずとも、電子部品の短絡状態を適切に検知し、過電流に基づく電子部品の故障を好適に回避することができる携帯電子機器を提供することにある。
【課題を解決するための手段】
【００１１】
本発明に係る携帯無線機器は、上記課題を解決するために、電子部品へ給電がされているときに、当該電子部品に対して所定の動作制御を行う制御部と、前記電子部品に対する給電が抑制され、前記制御部による前記所定の動作制御が抑制されているときに、当該給電される電流値が所定の電流値を超えたか否かを判断し、前記所定の電流値を超えていると判断したときに前記電子部品への給電経路を遮断する短絡保護回路と、を有することを特徴とする。
【００１２】
また、上記携帯無線機器では、基地局からの信号を受信する受信部を有し、前記短絡保護回路は、前記電子部品に対する給電が抑制され、前記制御部による前記所定の動作制御が抑制されているときに、前記受信部により前記基地局からの信号を受信した場合に、前記電子部品に給電される電流値が所定の電流値を超えているか否かを判断することが好ましい。
【００１３】
また、上記携帯無線機器では、前記受信部は、所定の周期で間欠的に基地局からの信号を受信することが好ましい。
【００１４】
また、上記携帯無線機器では、前記短絡保護回路は、前記制御部により前記所定の動作制御が行われるときには、前記電子部品への給電経路の遮断を行わないことが好ましい。
【００１５】
また、上記携帯無線機器では、前記電子部品は、所定の記憶情報が記憶される第１の電子部品と、前記所定の記憶情報が記憶されていない第２の電子部品が含まれ、前記短絡保護回路は、前記電子部品に対する給電が抑制され、前記制御部による前記所定の動作制御が抑制されているときに、当該給電される電流値が所定の電流値を超えたか否かを判断し、前記所定の電流値を超えていると判断したときに、前記第２の電子部品への給電経路を遮断し、前記第１の電子部品への給電経路を遮断しないことが好ましい。
【００１６】
また、本発明に係る携帯無線機器は、上記課題を解決するために、電子部品へ所定の給電がされているときに、当該電子部品に対して複数の動作制御を行う制御部と、前記複数の動作制御のうちの一の動作制御に伴い前記電子部品へ給電される電流値が当該動作制御に対応する予め定められた所定の電流値を超えるか否かを判断し、所定の電流値を超えていると判断したときに前記電子部品への給電経路を遮断する短絡保護回路と、を有することを特徴とする。
【発明の効果】
【００１７】
本発明によれば、短絡保護回路が作動する闘値を充分に余裕を持った値に設定せずとも、電子部品の短絡状態を適切に検知するため、過電流による電子部品の故障を好適に回避することができる。
【発明を実施するための最良の形態】
【００１８】
図１は、本発明に係る携帯電子機器の一例である携帯電話装置１の外観斜視図を示す。なお、以下では、携帯電話装置について説明するが、本発明はこれに限定されるものではなく、ＰＨＳ（Ｐｅｒｓｏｎａｌ  Ｈａｎｄｙ  ｐｈｏｎｅ  Ｓｙｓｔｅｍ）、ＰＤＡ（Ｐｅｒｓｏｎａｌ  Ｄｉｇｉｔａｌ  Ａｓｓｉｓｔａｎｔ）、ポータブルナビゲーション装置、ノートパソコン等であっても良い。
【００１９】
携帯電話装置１は、操作部側筐体部２と、表示部側筐体部３と、を備えて構成される。操作部側筐体部２は、表面部１０に、操作キー群１１と、携帯電話装置１の使用者が通話時に発した音声が入力されるマイク１２と、を備えて構成される。操作キー群１１は、各種設定や電話帳機能やメール機能等の各種機能を動作させるための機能設定操作ボタン１３と、電話番号の数字やメール等の文字等を入力するための入力操作ボタン１４と、各種操作における決定やスクロール等を行う決定操作ボタン１５と、から構成されている。
【００２０】
また、表示部側筐体部３は、表面部２０に、各種情報を表示するためのディスプレイ２１と、通話の相手側の音声を出力する音声出力部２２と、を備えて構成されている。
【００２１】
また、上述した操作キー群１１、マイク１２、ディスプレイ２１及び音声出力部２２は、後述する処理部６２を構成している。
【００２２】
また、操作部側筐体部２の上端部と表示部側筐体部３の下端部とは、ヒンジ機構４を介して連結されている。また、携帯電話装置１は、ヒンジ機構４を介して連結された操作部側筐体部２と表示部側筐体部３とを相対的に回転することにより、操作部側筐体部２と表示部側筐体部３とが互いに開いた状態（開放状態）にしたり、操作部側筐体部２と表示部側筐体部３とが折り畳まれた状態（折畳み状態）にしたりできる。
【００２３】
なお、図１は、いわゆる折り畳み型の携帯電話装置の形態を示しているが、本発明に係る携帯電話装置の形態としては特にこれに限られず、操作部側筐体部２と表示部側筐体部３とを重ね合わせた状態から一方の筐体を一方向にスライドさせるようにしたスライド式や、操作部側筐体部２と表示部側筐体部３との重ね合せ方向に沿う軸線を中心に一方の筐体を回転させるようにした回転式（ターンタイプ）等であっても良い。
【００２４】
また、図２は、操作部側筐体部２の一部を分解した斜視図を示している。操作部側筐体部２は、図２に示すように、回路基板４０と、リアケース部４２と、充電可能な電池である充電池４３と、充電池カバー４４と、によって構成されている。
【００２５】
回路基板４０は、所定の演算処理を行うＣＰＵ等の素子が実装されており、表面部１０上の操作キー群１１がユーザにより操作が行われたときに、所定の信号がＣＰＵ（後述する制御部）に供給される。
【００２６】
リアケース部４２は、ヒンジ機構４を固定するヒンジ機構固定部４２Ａと、所定の使用周波数帯により通信を行うメインアンテナ７０を収納するメインアンテナ収納部４２Ｂと、充電池４３を格納する充電池格納部４２Ｃと、を備えている。
【００２７】
また、図３は、携帯電話装置１の機能を示す機能ブロック図である。携帯電話装置１は、図３に示すように、基地局からの信号を受信するメインアンテナ７０としての受信部（以下、メインアンテナ７０という。）と、メインアンテナ７０により外部の端末と通信される情報を処理する通信処理部５０と、所定の制御を行う制御部５１と、スイッチ部５２と、制御部５１の制御に応じてスイッチ部５２の開閉を行う短絡保護回路５３と、所定容量を有する充電池４３と、充電池４３に電気的に接続される正極端子５４ａと負極端子５４ｂと、正極端子５４ａと負極端子５４ｂとの間に流れている電流を検出する電流検出回路５５と、充電池４３から供給される電圧を所定の電圧に変換する電源回路部５６と、アドレス帳やメインアンテナ７０により外部の端末と通信される情報等（例えば、メール受信情報等）の所定の情報を格納するメモリ５７と、を備えている。なお、短絡保護回路５３は、制御部５１と一体的に構成されていても良いし、充電池４３の内部に配置させていても良い。
【００２８】
通信処理部５０は、所定の変調処理又は復調処理等の信号処理を行い、メインアンテナ７０を介して外部の端末と通信を行う。
【００２９】
メインアンテナ７０は、所定の使用周波数帯（例えば、８００ＭＨｚ）で外部の端末（例えば、基地局）と通信を行う。なお、本実施の形態では、所定の使用周波数帯として、８００ＭＨｚとしたが、これ以外の周波数帯であっても良い。また、メインアンテナ７０は、所定の使用周波数帯の他に、第２の使用周波数帯（例えば、２ＧＨｚ）に対応できる、いわゆるデュアルバンド対応型による構成であっても良いし、さらに、第３の使用周波数帯にも対応できる複数バンド対応型により構成されていても良い。
【００３０】
また、メインアンテナ７０は、図４に示すように、所定の周期ｔで間欠的に基地局からの信号を受信する。なお、図４中の周期ｔは、任意であり、例えば、数ｍｓｅｃである。
【００３１】
制御部５１は、回路基板４０上に実装されている電子部品４０ａ（電子部品、第２の電子部品）へ充電池４３により所定の給電がされているときに、当該電子部品４０ａに対して所定の動作制御を行う。これにより、例えば、メインアンテナ７０を用いた通信機器や音楽再生機能等の各種アプリケーションが具体的に実行される。
【００３２】
また、電源回路部５６は、充電池４３から供給される電源電圧を所定の電圧値に変圧し、変圧後の電源電圧を制御部５１や電流検出回路５５やメモリ５７や他の電子部品（不図示）等に供給する。
【００３３】
ここで、短絡保護回路５３の動作について説明する。なお、短絡保護回路５３は、電流検出回路５５により検出される検出値が供給されるように構成されている。
【００３４】
短絡保護回路５３は、電子部品４０ａに対する充電池４３からの給電が抑制され、制御部５１による所定の動作制御が抑制されている時、つまり、例えば、メインアンテナ７０を用いた通信機能や音楽再生機能等の各種アプリケーションが実行されていない待ち受け時（以下、単に「待ち受け時」とする。）に、電子部品４０ａに給電が行われた場合、当該給電される電流値が闘値となる所定の電流値を超えたか否かを電流検出回路５５から供給される検出値に基づいて判断し、所定の電流値を超えていると判断したときに電子部品４０ａへの給電経路をスイッチ部５２により遮断する。
【００３５】
こうすることにより、本発明では、従来のように、各種アプリケーションが実行中にもかかわらず電子部品４０ａへの給電経路がスイッチ部５２により遮断されて、当該実行中の各種アプリケーションが中断されてしまうという事態を好適に回避することができる。
【００３６】
また、電子部品４０ａに対する充電池４３からの給電が抑制された状態は、携帯電話装置１の最大電流となは異なり、常に安定した電流値をとるため、本発明によれば、従来技術のように、閾値となる所定の電流値を充分に余裕を持った値に設定する必要がないため、仮に電子部品４０ａの短絡状態が数Ωの抵抗値を持った場合であっても、閾値となる所定の電流値を低く設定することができるため、電子部品４０ａの短絡を適切に検出し、過電流に基づく電子部品４０ａの故障を回避することができる。
【００３７】
また、本発明によれば、電流を供給し続けることにより、充電池４３とＧＮＤとの間の抵抗値が徐々に小さくなってゆくようなケースであっても、閾値となる所定の電流値を低く設定することができるため、微弱な電流変動を検出することができ、短絡状態にある電子部品４０ａの過電流に基づく故障を回避することができる。
【００３８】
また、短絡保護回路５３は、電子部品４０ａに対する給電が抑制され、制御部５１による所定の動作制御が抑制されているときに、メインアンテナ７０により基地局からの信号を受信した場合に、電子部品４０ａに給電されている電流値が所定の電流値を超えているか否かを、電流検出回路５５から供給される検出値に基づいて判断することが好ましい。
【００３９】
なぜならば、電流検出回路５５を作動させるためには、一定の電流が制御部５１に供給され、制御部５１が起動している必要がある。ここで、メインアンテナ７０によって基地局からの信号を受信しているときには、間欠的に、制御部５１には一定の電流が供給されており、制御部５１は起動している状態にある。したがって、本発明では、このように制御部５１が起動されている状態にあるときに、電流検出回路５５による動作を実行する構成であって、電流検出回路５５を作動させるために制御部５１に対して一定の電流を供給する構成ではないため、処理の低消費電力化を図ることができる。
【００４０】
また、携帯電話装置１においては、
１．低消費電力化のため、消費電流が小さい時に、電子部品４０ａに給電されている電流値が所定の電流値を超えているか否かを確認する必要性と、
２．リアルタイム性と、
３．処理の低消費電力化と、
が求められるため、短絡保護回路５３により、電子部品４０ａに給電されている電流値が所定の電流値を超えているか否かを判断するタイミングは、所定の周期で行われる間欠待ち受け動作時に合わせて行うことが好ましい（図４を参照）。
【００４１】
なお、処理の低消費電力化は、制御部５１がすでに動いている区間で処理することにより実現することができる。
【００４２】
このようにして、メインアンテナ７０により所定の周期で行われる間欠受信をするタイミングでリアルタイムに、電流検出回路５５は、正極端子５４ａを介して充電池４３から供給される回路電流（総消費電流Ｉａ）を検出し、短絡保護回路５３に供給する。そして、短絡保護回路５３は、電流検出回路５５から供給された総消費電流Ｉａから不明な電流Ｉｂを求める。つまり、本発明では、間欠受信により制御部５１が作動している状態において短絡保護回路５３が作動するため、処理の低消費電力化を図ることができる。
【００４３】
ここで、総消費電流Ｉａから不明な電流Ｉｂを求める方法について説明する。図５に示すように、総消費電流Ｉａは、携帯電話装置１に既知の間欠受信動作に必要なＩｒｘと、電流の検出処理に必要なＩｓと、不明な電流Ｉｂとからなっている。したがって、短絡保護回路５３は、総消費電流Ｉａから、ＩｒｘとＩｓを減算することにより、不明な電流Ｉｂを求める。
【００４４】
また、短絡保護回路５３は、求めた不明な電流Ｉｂが予め定めておいた電子部品４０ａの不具合状態であると判断する閾値ｔｈを超えているか否かを判断し、当該閾値ｔｈを超えていると判断した場合には、メモリ５７にその履歴を記憶し、スイッチ部５２を開放状態に制御し、電子部品４０ａへの給電経路を遮断する。なお、スイッチ部５２が開放状態になると、主電源がＯＦＦにされる。
【００４５】
また、メモリ５７には上述したようにアドレス帳やメインアンテナ７０により外部の端末と通信される情報等（例えば、メール受信情報等）の極めて重要性の高い所定の情報が格納されているため、スイッチ部５２を開放状態にして、主電源をＯＦＦにした場合であっても、例えば、外部メモリに抽出すること等により、それら所定の情報を利用可能とする構成であることが好ましい。そこで、それらの所定の情報が記憶されており、かつ、スイッチ部５２を開放状態にして主電源がＯＦＦになった状態においても、それら所定の情報を利用可能にするために不可欠なメモリ５７に相当する電子部品（第１の電子部品）については、充電池４３からの給電を抑制せず、利用可能とする構成であることが好ましい。
【００４６】
また、その後、携帯電話装置１の主電源をＯＮにする操作が行われたときには、制御部５１は、メモリ５７にアクセスし、記憶されている内容を確認し、所定の履歴があると判断した場合には、危険であると推定し、携帯電話装置１を起動させない制御を行っても良い。
【００４７】
ここで、制御部５１と短絡保護回路５３による保護動作について図６に示すフローチャートを参照しながら説明する。
【００４８】
ステップＳ１において、制御部５１は、間欠待ち受け中かどうかを判断する。間欠待ち受け中であると判断した場合には、ステップＳ２に進む。また、間欠待ち受け中でないと判断した場合には、ステップＳ１に戻る。
【００４９】
ステップＳ２において、電流検出回路５５は、総消費電流Ｉａを検出し、検出した総消費電流Ｉａを検出結果として短絡保護回路５３に供給する。
【００５０】
ステップＳ３において、短絡保護回路５３は、電流検出回路５５から供給された総消費電流Ｉａに基づいて、不明な電流Ｉｂを算出し、不明な電流Ｉｂが閾値ｔｈを超えているか否かを判断する。不明な電流Ｉｂが閾値ｔｈを超えていると判断した場合には、ステップＳ４に進み、不明な電流Ｉｂが閾値ｔｈを超えていないと判断した場合には、ステップＳ１に戻る。
【００５１】
ステップＳ４において、短絡保護回路５３は、メモリ５７に所定の履歴を残す。
【００５２】
ステップＳ５において、短絡保護回路５３は、スイッチ部５２を開放状態に制御する。
【００５３】
このようにして、本発明に係る携帯電話装置１は、電流検出回路５５から供給された総消費電流Ｉａに基づいて、不明な電流Ｉｂを算出し、不明な電流Ｉｂが閾値ｔｈを超えているか否かを判断し、不明な電流Ｉｂが閾値ｔｈを超えていると判断したときに、スイッチ部５２を開放状態にするので、電子部品４０ａに過剰な電流を流すことがなく、電子部品４０ａの故障を回避することができる。
【００５４】
また、本発明に係る携帯電話装置１は、その他の動作制御（メインアンテナ７０を用いた通信機能や音楽再生機能等の各種アプリケーションの他、ディスプレイ２１のバックライトをＯＮ状態にする動作等）を行う場合は、その消費電流を総消費電流Ｉａからさらに減算した値を不明な電流Ｉｂとして閾値ｔｈと比較するか、又はこの場合には電流検出を行わない構成であっても良い。
【００５５】
また、同様にして、基地局からの信号を所定の周期ｔで間欠待ち受けをしている状態において、送信を伴う場合には、送信電力により消費電流が異なるため、送信電力に応じたテーブルを持ち、それぞれの消費電流を総消費電流Ｉａから、さらに減算した値を不明な電流Ｉｂとして閾値ｔｈと比較するか、又はこの場合には電流検出を行わない構成であっても良い。
【００５６】
また、短絡保護回路５３は、充電池４３により電子部品に給電されて制御部５１により所定の動作制御が行われるとき、例えば、メインアンテナ７０を用いた通信機能や音楽再生機能等の各種アプリケーションが具体的に実行されるときには、電子部品４０ａへの給電経路の遮断を行わない構成であっても良い。このように構成することにより、電子部品の短絡ではなく、これら所定の動作制御が行われることにより、電流検出回路５５が検出する総消費電流Ｉａに基づいて算出される不明な電流Ｉｂが閾値ｔｈを超えて、短絡保護回路５３が誤動作するのを防止することができる。
【００５７】
また、短絡保護回路５３は、アプリケーション毎（上述した待ち受け状態における間欠受信も含む）に消費される電流値が定められ、アプリケーションが動作中における電流値が、それぞれのアプリケーションに対応する所定の閾値ｔｈを超えた場合に、スイッチ部５２を開放状態に制御するように構成されても良い。
【図面の簡単な説明】
【００５８】
【図１】本発明に係る携帯電話装置の外観を示す斜視図である。
【図２】本発明に係る携帯電話装置に備えられている操作部側筐体部の構成を示す斜視図である。
【図３】本発明に係る携帯電話装置の機能を示す機能ブロック図である。
【図４】メインアンテナが所定の周期ｔで間欠的に基地局からの信号を受信するタイミングを示す図である。
【図５】総消費電流Ｉａから不明な電流Ｉｂを求める方法についての説明に供する図である。
【図６】制御部と短絡保護回路による保護動作についての説明に供するフローチャートである。
【図７】バッテリの構成を示す図である。
【符号の説明】
【００５９】
１  携帯電話装置
５１  制御部
５２  スイッチ部
５３  短絡保護回路
４３  充電池
５４ａ  正極端子
５４ｂ  負極端子
５５  電流検出回路
５６  電源回路部
５７  メモリ
【図１】
0005179154.tif 000002
【図２】
0005179154.tif 000003
【図３】
0005179154.tif 000004
【図４】
0005179154.tif 000005
【図５】
0005179154.tif 000006
【図６】
0005179154.tif 000007
【図７】
0005179154.tif 000008